(57)【要約】【課題】かごＥ１上にフレーム１を組んでアスベスト除去作業を行う場合に、簡単に落下防止の養生をする。【解決手段】縦枠２と横枠３とにより組まれてかごＥ１の上に設置されたフレーム１において縦枠２よりも外方へ突出する突出部３ｐａ，３ｐｂを設け、棒体１１を並列配置して該棒体間に養生材１２を張って構成された落下養生具１０の棒体１１を、突出部３ｐａ，３ｐｂに交差させて架設することにより、当該落下養生具１０によってかごＥ１と昇降路壁Ｅ６との間隙を落下養生する。【選択図】図２
2012030927.tif 000002
【特許請求の範囲】
【請求項１】
縦枠と横枠とにより組まれてかごの上に設置されたフレームにおいて前記縦枠よりも外方へ突出する突出部を設け、
少なくとも２本の棒体を並列配置して該棒体間に養生材を張って構成された落下養生具の前記棒体を、前記突出部に交差させて架設することにより、
当該落下養生具によって前記かごと昇降路壁との間隙を落下養生する、エレベータ昇降路の落下養生方法。
【請求項２】
前記フレームの突出部が前記横枠の延長部分である、請求項１記載の落下養生方法。
【請求項３】
前記横枠の延長部分の端部に、前記昇降路壁に当接して押圧するジャッキを取り付ける、請求項２記載の落下養生方法。
【請求項４】
請求項１〜３のいずれかに記載の落下養生方法に使用する落下養生具であって、
並列配置した少なくとも２本の棒体と、該棒体間に張られた養生材と、を含んで構成される、落下養生具。
【請求項５】
前記棒体の少なくとも一方から垂下する延長養生材が形成される、請求項４の落下養生具。
【発明の詳細な説明】
【技術分野】
【０００１】
エレベータの保守点検、改修に関する技術が以下に開示される。
【背景技術】
【０００２】
商業用ビルなどの建築物において、エレベータ昇降路内の壁面や鉄骨に耐火性向上の目的で、アスベストを吹き付けてあるものが現存する。そこで、特許文献１に開示される技術を使用して、昇降路内のアスベスト除去が実施される。特許文献１の被覆材除去方法は、かご上にフレームを組み上げ、該フレームを利用して昇降路壁面を透明のカバーで養生し、この養生したカバー内でアスベストを掻き落とす方法である。フレームは、かご上に立設した縦枠とこの縦枠に架け渡した横枠とにより組まれ、作業時の足場及び作業員の落下防止柵として機能する。
【先行技術文献】
【特許文献】
【０００３】
【特許文献１】特開２００９−１１３９８６号公報
【発明の概要】
【発明が解決しようとする課題】
【０００４】
特許文献１の図面からも分かるように、一般に、エレベータのかごの横と後側には昇降路壁との間に間隙があり、ここから工具等が落下し得る。したがって、上記のように、かご上にフレームを組んでアスベスト除去作業を行う場合に、落下防止の養生が必要である。
【課題を解決するための手段】
【０００５】
上記課題に対して提案するエレベータ昇降路の落下養生方法は、
縦枠と横枠とにより組まれてかごの上に設置されたフレームにおいて前記縦枠よりも外方へ突出する突出部を設け、
少なくとも２本の棒体を並列配置して該棒体間に養生材を張って構成された落下養生具の前記棒体を、前記突出部に交差させて架設することにより、
当該落下養生具によって前記かごと昇降路壁との間隙を落下養生する、落下養生方法である。
【発明の効果】
【０００６】
上記提案に係るエレベータ昇降路の落下養生方法によれば、使い回し可能な落下養生具によって、かごと昇降路壁との間隙に関し、簡単に落下養生をすることができる。
【図面の簡単な説明】
【０００７】
【図１】かご上にフレームを組むと共に落下養生具を設置した状態を側方から見て示す昇降路内の図。
【図２】図１に示すフレームの最下層の横枠と落下養生具について上方から見て示す昇降路内の図。
【図３】実施形態に係る落下養生具の斜視図。
【発明を実施するための形態】
【０００８】
図１及び図２に、一例として、特許文献１に開示されるアスベスト除去作業に際し、エレベータのかご上に組み上げられるフレームを示す。
エレベータのかごＥ１は、周知のように、鉛直方向の昇降路Ｅ２内において、かごＥ１を挟むようにして左右に延設されているガイドレールＥ３に案内されて上下動する。また、かごＥ１は、昇降路Ｅ２内で、前側にある乗降口Ｅ４へ近接するように配置され、後側には、図示せぬカウンターウエイトを案内するガイドレールＥ５が延設される。したがって、昇降路Ｅ２内において、かごＥ１と昇降路壁Ｅ６との間隙は、かごＥ１の左右と後側の三方において広く空いている。
【０００９】
フレーム１は、上面視で四角形の頂点をなすようにしてかごＥ１の上に立設された４本の縦枠２と、この縦枠２に対し、前後及び左右方向に架け渡して井桁に組み付けた横枠３と、により組まれ、作業時の足場及び作業員の落下防止柵として機能する。縦枠２は、建物の１階分に相当する高さに立設され、この縦枠２に対し、足場となる横枠３が複数段、組み付けられる。足場管を使った縦枠２及び横枠３は、足場クランプ（直交クランプ又は自在クランプ）４を介して互いに組み付けられている。
【００１０】
本実施形態のフレーム１において、足場床を形成するための最下層の横枠３ｆａ，３ｆｂは、その他の横枠３と違い、次のように組まれている。
【００１１】
まず、前後方向に延びる横枠３ｆａは、縦枠２の下端部に取り付けられた調整ジャッキ２ａに対し、足場クランプ４により組み付けられる。調整ジャッキ２ａがあることにより、各縦枠２の高さを調整することができる。横枠３ｆａは他の横枠３よりも長く、その前側端部は当接板により前側の昇降路壁Ｅ６に当接する。一方、当該横枠３ｆａの後側は、縦枠２からさらに昇降壁Ｅ６へ向け延長された延長部分として存在し、縦枠２よりも外方へ突出する突出部３ｐａが形成される。そして、この突出部３ｐａの先端である横枠３ｆａの後側延長部分の端部に、突っ張りジャッキ３ｆｃが取り付けられており、該突っ張りジャッキ３ｆｃが昇降路壁Ｅ６に当接して押圧する。突っ張りジャッキ３ｆｃの押圧により、横枠３ｆａは、突っ張り棒のごとく昇降路Ｅ２内に配置される。
【００１２】
なお、突っ張りジャッキ３ｆｃによる押圧を利用して突っ張り棒状態にしておくことが、後述の落下養生具を支持し、落下物の荷重を受け止める機能のためには好ましいが、必ずしも突っ張りジャッキ３ｆｃを設けなければならないというわけではない。また、突出部３ｐａとしては、横枠３の延長部分を利用するほかにも、別途のブラケットを縦枠２に固定して突出部とすることも可能であるが、フレーム１の設置工数や材料費を勘案すると、本実施形態のごとく長い横枠３ｆａを使用するのが優れている。
【００１３】
前後方向に延びる横枠３ｆａには、床下ジャッキ３ｆｄが足場クランプ４により組み付けられる。床下ジャッキ３ｆｄはかごＥ１の天井に載置されてフレーム１を下支えするものであるが、本実施形態のフレーム１は次に述べるようにガイドレールＥ３，Ｅ５によって支持されるので、床下ジャッキ３ｆｄを不要とすることもできる。横枠３ｆａにはまた、点線で示すごとく足場床３ｆｅが載せられ、作業用の床として機能する。
【００１４】
次に、左右方向に延びる横枠３ｆｂは、前後方向の横枠３ｆａの下側に、足場クランプ４により組み付けられる。この横枠３ｆｂは、足場クランプ４を介して、ガイドレールブラケット３ｆｆに固定される。ガイドレールブラケット３ｆｆは、特許文献１の図１７〜図１９に開示されるものと同等のブラケットで、ガイドレールＥ３，Ｅ５に固定されて、フレーム１及び作業時の荷重を支える。ガイドレールＥ３，Ｅ５を利用して荷重を支えることにより、かごＥ１の天井に荷重集中部位ができないように工夫してある。
【００１５】
左右方向に延びる横枠３ｆｂも、他の横枠３より長く、その左右両側において縦枠２からさらに昇降壁Ｅ６へ向け延長された延長部分が存在し、縦枠２よりも外方へ突出する突出部３ｐｂがそれぞれ形成される。横枠３ｆｂの左側端部（又は右側端部）は当接板により左側の昇降路壁Ｅ６に当接する。また、横枠３ｆｂの右側（又は左側）延長部分の端部、すなわち突出部３ｐｂの先端に、突っ張りジャッキ３ｆｃが取り付けられており、該突っ張りジャッキ３ｆｃが昇降路壁Ｅ６に当接して押圧する。突っ張りジャッキ３ｆｃの押圧により、横枠３ｆｂも、突っ張り棒のごとく昇降路Ｅ２内に配置され、後述の落下養生具を支持する。
【００１６】
以上のように、縦枠２と横枠３とにより組まれてかごＥ１の上に設置されたフレーム１において縦枠２よりも外方へ突出する、前後方向の突出部３ｐａ及び左右方向の突出部３ｐｂに、落下養生具１０がそれぞれ載置される（載せるだけでもよいが、結束するのもよい）。図３Ａに詳細を示すように、落下養生具１０は、並列配置した２本の棒体１１と、この２本の棒体１１間に張られた養生材１２と、を含んで構成される担架型である。その棒体１１は、金属製、木製、又は樹脂製の円柱や角柱で、好ましくは、昇降路Ｅ２の前後又は左右方向の径相当の長さとされ、当該棒体１１が、突出部３ｐａ，３ｐｂに交差させて架設される。棒体１１は２本あればよいが、耐荷重性能を向上させたければ３本以上を並列にしたものも可能である。養生材１２は柔軟な材料のネット、布、樹脂製シートなどで、落下物をバウンドさせないことを考えると、ネットとするのが適している。このように、２本の棒体１１を並列配置して該棒体１１間に養生材１２を張って構成された落下養生具１０は、２本の棒体１１の間の幅を自在に変えることができるので、昇降路Ｅ２内の前後方向にも左右方向にも使用することができる。
【００１７】
図３Ｂに示すのは、落下養生具１０の変形例で、棒体１１の一方（両方でもよい）から垂下する延長養生材１３を形成した例である。延長養生材１３には切れ目１３ａが形成されており、設置に際し障害物があれば避けることができるようにしてある。この延長養生材１３は、図１に点線で示すように、突出部３ｐａ上に設置した落下養生具１０から垂れ下げて、横枠３ｆｂや床下ジャッキ３ｆｄに結束することにより、フレーム１の床近くから落下し得る落下物を受け止めることができる。なお、同様に、延長養生材１３を有する落下養生具１０を左右側の突出部３ｐｂに適用することも可能である。
【００１８】
落下養生具１０は、図２に示すように、フレーム１後側の突出部３ｐａ上に載置されてかごＥ１の後側において左右方向へ伸延し、かごＥ１後側の間隙を養生する。また、落下養生具１０は、フレーム１左右側の突出部３ｐｂ上に載置されてかごＥ１の左右両側において前後方向へ伸延し、かごＥ１左右側の間隙を養生する。
【００１９】
図２の場合、かごＥ１後側を落下養生する落下養生具１０の端部に対し、かごＥ１左右側を落下養生する落下養生具１０の端部を重ねていないが、当該端部を重ねるようにして互いに結束しておくこともできる。
【００２０】
本実施形態の落下養生具１０は、フレーム１の突出部３ｐａ，３ｐｂに載置するだけで、かごＥ１と昇降路壁Ｅ６との間隙に関し、簡単に落下養生をすることができる。載置するだけでよいので、一つの階の作業後に次の階の作業へ移動する際にも簡単に取り外せ、各階へ使い回しすることが可能である。
【符号の説明】
【００２１】
１  フレーム
２  縦枠
３，３ｆａ，３ｆｂ  横枠
３ｆｃ  ジャッキ
３ｐａ，３ｐｂ  突出部（延長部分）
１０  落下養生具
１１  棒体
１２  養生材
１３  延長養生材
Ｅ１  かご
Ｅ２  昇降路
Ｅ３，Ｅ５  ガイドレール
Ｅ４  乗降口
Ｅ６  昇降路壁
【図１】
2012030927.tif 000003
【図２】
2012030927.tif 000004
【図３】
2012030927.tif 000005